(57)【特許請求の範囲】
【請求項１】
下端部に魚が養殖される水域の底に固定される固定部を有すると共に、上端部に長尺状の支持面を有する支持部と、
前記固定部が前記水域の底に固定された前記支持部の前記支持面を対向する両端部の中間部により被覆した状態で、前記支持面で支持されて、前記両端部が垂れ下がる柔軟性を有するシート状の被覆部と、
前記被覆部が前記支持面で支持された状態で、前記支持面の長手方向に対する前記被覆部の両端部の少なくとも一方の端部における前記支持部の下方に開口部が形成され、かつ前記被覆部の内側に前記魚が生息する領域が形成されるように、前記対向する両端部の各々に対して下方に張力を付与する張力付与部と、
を備えた魚養殖支援具。
【請求項２】
前記被覆部は、前記水域に生息する植物プランクトンが光合成を行うための光エネルギーを透過する
請求項１記載の魚養殖支援具。
【請求項３】
前記被覆部は、少なくとも一部に網目を有する
請求項１又は請求項２記載の魚養殖支援具。
【請求項４】
前記支持部は、当該支持部を前記長手方向とは交差する方向に稼働させ、かつ前記長手方向を回転軸として回動させることにより、前記被覆部を当該被覆部が有する柔軟性により変形させる変形部をさらに備えた
請求項１〜請求項３の何れか１項記載の魚養殖支援具。
【請求項５】
前記変形部は、少なくとも一部が前記水域の水面より上に位置され、当該少なくとも一部が風を受けることにより前記被覆部を変形させる
請求項４記載の魚養殖支援具。
【請求項６】
前記支持部は、水に浮くフロートを有する
請求項１〜請求項５の何れか１項記載の魚養殖支援具。
【請求項７】
前記張力付与部は、水に沈む重りを有する
請求項１〜請求項６の何れか１項記載の魚養殖支援具。
【請求項８】
下端部に魚が養殖される水域の底に固定される固定部を有すると共に、上端部に長尺状の支持面を有する支持部によって、前記固定部が前記水域の底に固定された前記支持部の前記支持面を対向する両端部の中間部により被覆した状態で、前記支持面で支持されて、前記両端部が垂れ下がる柔軟性を有するシート状の被覆部を支持し、
前記被覆部が前記支持面で支持された状態で、前記支持面の長手方向に対する前記被覆部の両端部の少なくとも一方の端部における前記支持部の下方に開口部が形成され、かつ前記被覆部の内側に前記魚が生息する領域が形成されるように、前記対向する両端部の各々に対して下方に張力を付与する張力付与部により前記被覆部に張力を付与する
魚養殖方法。
【請求項９】
前記魚の成長に応じて前記水域に給水し、
前記水域への給水により前記水域の水深が深くなるほど、前記被覆部の前記中間部における前記水域の深さ方向の位置を高くする
請求項８記載の魚養殖方法。
【発明の詳細な説明】
【技術分野】
【０００１】
本発明は、魚の養殖を支援する魚養殖支援具、および当該魚養殖支援具を用いた魚養殖方法に関する。
【背景技術】
【０００２】
従来より、食用、観賞用、愛玩用、研究用、餌用等として、多くの種類の魚が養殖されている。
【０００３】
例えば、ドジョウはドジョウ科に属し、自然界では、水田、湿地、池や、これらの周辺の細流に多く生息し、さらに、河川の中流から下流域、用水路等の流れの緩やかな泥底にも生息している。ドジョウの食性は雑食性で、ワムシ、ミジンコ、ユスリカ等の動物プランクトンの他、当該動物プランクトンの餌料にもなる藻類等の植物プランクトンも食べる。
【０００４】
また、例えば、フナはコイ科に属し、自然界では、河川、湿地、池等に生息し、河川では下流域の淀みや支流との合流地点に多く見られる。フナもその食性は雑食性で、上記動物プランクトンや上記植物プランクトンを食べる。
【０００５】
ところで、以上のようなドジョウやフナ等の魚は、当該魚を養殖する際に、鳥獣等の外敵に捕食されてしまい、養殖の生産性が低下してしまう。
【０００６】
この問題を解決するために適用することができる技術として、特許文献１には、魚が通る通路を有する魚礁本体と、該魚礁本体の側端部に、魚礁本体を安定保持するための鍔部が形成され、魚礁本体には魚が出入り可能な大きさの通穴が形成されていることを特徴とする人工魚礁が開示されている。
【０００７】
この技術によれば、魚礁本体の内側に魚が入ることにより、上記外敵による魚の捕食の頻度を低減することができる。
【先行技術文献】
【特許文献】
【０００８】
【特許文献１】特開平２００７−６７６８号公報
【発明の概要】
【発明が解決しようとする課題】
【０００９】
ところで、魚の養殖を行う際には、当該魚が養殖される水域の底に近くなるほど太陽光等の光エネルギーが届きにくくなり、植物プランクトンによる光合成が行われにくくなる。そして、上記光合成が行われにくくなると、当該光合成による植物プランクトンからの酸素の供給量が低減する。この結果、植物プランクトンから供給される酸素によって生育される、魚の餌料となる動物プランクトンの増加が抑制されてしまう。また、酸素の供給量が低減すると、上記水域には酸素が欠乏し、硫化水素が発生する領域（以下、「死水領域」という。）が生じてしまう。そして、これらの結果として、魚の成長が妨げられ、生産性の高い養殖を行うことができない、という問題点があった。なお、ここでいう水域には、水田、池、湿地等の自然界に存在する水域の他、人工池等の人工的に作られた水域や、水槽等を含む。
【００１０】
しかしながら、上記特許文献１に開示されている技術では、上記問題点については考慮されていないため、必ずしも生産性の高い養殖を行うことができるとは限らない。なお、この問題点は、海水魚の養殖を行う際にも生じ得る問題点である。
【００１１】
本発明は上記問題点を解決するためになされたものであり、生産性の高い養殖を行うことができる魚養殖支援具および魚養殖方法を提供することを目的とする。
【課題を解決するための手段】
【００１２】
上記目的を達成するために、本発明の魚養殖支援具は、下端部に魚が養殖される水域の底に固定される固定部を有すると共に、上端部に長尺状の支持面を有する支持部と、前記固定部が前記水域の底に固定された前記支持部の前記支持面を対向する両端部の中間部により被覆した状態で、前記支持面で支持されて、前記両端部が垂れ下がる柔軟性を有するシート状の被覆部と、前記被覆部が前記支持面で支持された状態で、前記支持面の長手方向に対する前記被覆部の両端部の少なくとも一方の端部における前記支持部の下方に開口部が形成され、かつ前記被覆部の内側に前記魚が生息する領域が形成されるように、前記対向する両端部の各々に対して下方に張力を付与する張力付与部と、を備えている。
【００１３】
本発明の魚養殖支援具によれば、下端部に魚が養殖される水域の底に固定される固定部を有すると共に、上端部に長尺状の支持面を有する支持部により、固定部が水域の底に固定された支持部の支持面を対向する両端部の中間部により被覆した状態で、支持面で支持されて、両端部が垂れ下がる柔軟性を有するシート状の被覆部が支持される。そして、張力付与部により、被覆部が支持面で支持された状態で、支持面の長手方向に対する被覆部の両端部の少なくとも一方の端部における支持部の下方に開口部が形成され、かつ被覆部の内側に魚が生息する領域が形成されるように、被覆部の上記対向する両端部の各々に対して下方に張力が付与される。
【００１４】
このように、本発明の魚養殖支援具によれば、支持面の長手方向に対する被覆部の両端部の少なくとも一方の端部における支持部の下方に開口部が形成され、かつ被覆部の内側に魚が生息する領域が形成されているので、当該開口部を介して魚が被覆部の内側に入ることができる。これにより、魚が被覆部の内側に入ることができない場合に比較して、上記外敵による魚の捕食の頻度が低減される結果、生産性の高い養殖を行うことができる。
【００１５】
また、本発明の魚養殖支援具は、被覆部が柔軟性を有するシート状の部材であるので、被覆部の上端部が水面より上に位置している場合は、自然風や扇風機による人工風等の風が吹くこと等により、被覆部が変形し、水域の水が攪拌される。さらに、本発明の魚養殖支援具は、被覆部が柔軟性を有するシート状の部材であるので、被覆部全体が水没している場合は、自然に発生する水流や給水および排水による人工的に発生する水流等の水流により、被覆部が変形し、水域の水が攪拌される。これらにより、被覆部が柔軟性を有するシート状の部材でない場合に比較して、被覆部の内側における上記死水領域が低減され、魚を良好に生育させることができる結果、より生産性の高い養殖を行うことができる。
【００１６】
なお、本発明の魚養殖支援具は、前記被覆部が、前記水域に生息する植物プランクトンが光合成を行うための光エネルギーを透過してもよい。これにより、被覆部の外側だけでなく、被覆部の内側に生息する植物プランクトンによっても光合成が行われて酸素が供給されるので、被覆部が上記光エネルギーを透過しない場合に比較して、被覆部の内側における上記死水領域がより低減される結果、より生産性の高い養殖を行うことができる。さらに、被覆部が上記光エネルギーを透過しない場合に比較して、魚の餌料となる動物プランクトンの増加が促進される結果、より生産性の高い養殖を行うことができる。
【００１７】
また、本発明の魚養殖支援具は、前記被覆部が、少なくとも一部に網目を有してもよい。これにより、被覆部が網目を有しない場合に比較して、被覆部の内側と外側との間の通気性を良くすることができるので、上記死水領域がより低減される結果、より生産性の高い養殖を行うことができる。
【００１８】
また、本発明の魚養殖支援具は、前記支持部が、当該支持部を前記長手方向とは交差する方向に稼働させ、かつ前記長手方向を回転軸として回動させることにより、前記被覆部を当該被覆部が有する柔軟性により変形させる変形部をさらに備えてもよい。これにより、被覆部により水域の水が攪拌されるので、被覆部を変形させない場合に比較して、上記死水領域がより低減される結果、より生産性の高い養殖を行うことができる。
【００１９】
特に、本発明の魚養殖支援具は、前記変形部が、少なくとも一部が前記水域の水面より上に位置され、当該少なくとも一部が風を受けることにより前記被覆部を変形させてもよい。これにより、電力を必要とせず、簡易に被覆部を変形させることができる。
【００２０】
また、本発明の魚養殖支援具は、前記支持部が、水に浮くフロートを有してもよい。これにより、簡易に被覆部を支持することができる。また、支持部が、水に浮かない場合に比較して、水流等により支持部が動きやすいので、支持部により支持されている被覆部も動きやすい。このため、被覆部により水域の水が攪拌されるので、上記死水領域が低減される結果、より生産性の高い養殖を行うことができる。
【００２１】
さらに、本発明の魚養殖支援具は、前記張力付与部が、水に沈む重りを有してもよい。これにより、簡易に被覆部の対向する両端部の各々に対して下方に張力を付与することができる。
【００２２】
一方、上記目的を達成するために、本発明の魚養殖方法は、下端部に魚が養殖される水域の底に固定される固定部を有すると共に、上端部に長尺状の支持面を有する支持部によって、前記固定部が前記水域の底に固定された前記支持部の前記支持面を対向する両端部の中間部により被覆した状態で、前記支持面で支持されて、前記両端部が垂れ下がる柔軟性を有するシート状の被覆部を支持し、前記被覆部が前記支持面で支持された状態で、前記支持面の長手方向に対する前記被覆部の両端部の少なくとも一方の端部における前記支持部の下方に開口部が形成され、かつ前記被覆部の内側に前記魚が生息する領域が形成されるように、前記対向する両端部の各々に対して下方に張力を付与する張力付与部により前記被覆部に張力を付与するものである。
【００２３】
従って、本発明の魚養殖方法によれば、本発明の魚養殖支援具と同様に作用するので、当該魚養殖支援具と同様に、養殖の生産性を高くすることができる。
【００２４】
また、本発明の魚養殖方法は、前記魚の成長に応じて前記水域に給水し、前記水域への給水により前記水域の水深が深くなるほど、前記被覆部の前記中間部における前記水域の深さ方向の位置を高くしてもよい。これにより、被覆部の内側の領域が水面に近い位置となるので、上記外敵による魚の捕食の頻度が高い水面に近い位置での当該頻度が低減される結果、より生産性の高い養殖を行うことができる。
【発明の効果】
【００２５】
本発明によれば、生産性の高い養殖を行うことができる、という効果が得られる。
【図面の簡単な説明】
【００２６】
【図１】実施の形態に係る魚養殖支援具の構成を示す平面図である。
【図２】実施の形態に係る魚養殖支援具の構成を示す正面断面図である。
【図３】実施の形態に係る魚養殖支援具の構成を示す側面図である。
【図４】図３における領域Ｒを拡大した側面図である。
【図５】実施の形態に係る魚養殖支援具の重り部の説明に供する図であり、（Ａ）は正面図、（Ｂ）は平面図である。
【図６】実施の形態に係る排水部の構成を示す図であり、（Ａ）は側面図、（Ｂ）は正面図である。
【図７】実施の形態に係る水田における水位の変化の一例の説明に供する正面図である。
【図８】実施の形態に係る魚養殖支援具の風を受けた場合の動きの一例の説明に供する正面図である。
【図９】実施の形態に係る魚の養殖の作業の流れを示すフローチャートである。
【図１０】実施の形態に係る魚養殖支援具の他の構成例を示す側面図である。
【図１１】実施の形態に係る魚養殖支援具の他の構成例を示す側面図である。
【図１２】実施の形態に係る魚養殖支援具の他の構成例を示す図であり、（Ａ）は正面図、（Ｂ）は平面図である。
【図１３】実施の形態に係る魚養殖支援具の他の構成例を示す正面図である。
【図１４】実施の形態に係る魚養殖支援具の他の構成例を示す正面図である。
【図１５】実施の形態に係る魚養殖支援具の他の構成例を示す正面図である。
【発明を実施するための形態】
【００２７】
以下、図面を参照して、本発明を実施するための形態について詳細に説明する。なお、ここでは、本発明を、遊休水田（以下、単に「水田」ともいう。）に適用し、養殖対象とする魚として、ドジョウを適用した場合について説明する。
【００２８】
まず、図１〜図５を参照して、本実施の形態に係る魚養殖支援具１０の構成を説明する。なお、図１は、本実施の形態に係る魚養殖支援具１０の構成を示す平面図である。また、図２は、図１のＡ−Ａ線断面図であり、図３は、図１の矢印Ｂ方向に見た魚養殖支援具１０の側面図である。さらに、図４は、図３の点線で囲まれた矩形の領域Ｒを拡大した側面図であり、図５は、後述する重り部４２の説明に供する図である。なお、図１では、錯綜を回避するために、魚養殖支援具１０の構成部材を一部省略した形で示している。
【００２９】
図１に示すように、本実施の形態に係る魚養殖支援具１０は、水田１２に複数個（本実施の形態では、９個。）配置されている。ここで、本実施の形態に係る魚養殖支援具１０は、水田１２に、予め定められた第１の方向（図１の矢印ａの方向）および当該第１の方向に交差（本実施の形態では、直交）する第２の方向（図１の矢印ｂの方向）に各々予め定められた間隔を空けて、平面視マトリクス状に配置されている。
【００３０】
このように、本実施の形態では、水田１２に９個の魚養殖支援具１０が平面視マトリクス状に配置されているが、これに限らず、水田１２における魚養殖支援具１０の数や配置状態は、水田１２の広さや地形等に応じて適宜変えてもよいことは言うまでもない。
【００３１】
また、図１および図２に示すように、水田１２には、不図示のバルブが開閉されることにより水田１２への給水を開始および停止する給水部１４、水田１２から排水する排水部１６、および水田１２の内側の側面からの漏水を防止するための漏水防止部１８が設けられている。なお、本実施の形態では、漏水防止部１８として、ビニールのシートを適用しているが、これに限らない。例えば、漏水防止部１８として、ポリエチレンのシート等、他の漏水を防止する部材を適用してもよい。特に、漏水防止部１８として、白色系の部材を適用することが好ましい。これにより、水田１２の水の透明度が確認しやすくなる。
【００３２】
図２および図３に示すように、本実施の形態に係る魚養殖支援具１０は、長手方向の両端部近傍の水田１２の底に、固定部２０を各々備えている。本実施の形態に係る固定部２０は、直方体や立方体等の八面体の形状とされており、その外周面の１つの面にフック２０Ａが設けられ、フック２０Ａが設けられた面が上面となるように水田１２の底に設けられている。なお、本実施の形態では、固定部２０として、レンガを適用しているが、これに限らない。例えば、固定部２０として、コンクリートブロックや鉄等の水に浮かない他の部材を適用してもよい。また、固定部２０の形状として、八面体の形状ではなく、円柱状や三角柱状等の他の形状を適用してもよいことは言うまでもない。
【００３３】
また、本実施の形態に係る魚養殖支援具１０は、長尺状の浮き部２２を備えている。図２および図３に示すように、本実施の形態に係る浮き部２２は、各々短手方向に切断した場合の断面の形状が円形の一対の浮力管２４Ａ、浮力管２４Ｂ、一対の蓋部２６、および一対の継手２８を備えている。なお、以下では、浮力管２４Ａ、２４Ｂを区別する必要がない場合は、符号の末尾のアルファベットを省略して説明する。
【００３４】
本実施の形態に係る浮力管２４、蓋部２６、および継手２８は、内部が空洞とされており浮力管２４および継手２８は両端が開放されており、蓋部２６は一端が開放され、かつ他端が閉塞されている。また、浮力管２４の外径と蓋部２６および継手２８の内径とが略同一とされている。
【００３５】
そして、本実施の形態に係る浮き部２２では、浮力管２４Ｂの両端が、各々一対の継手２８の各々の一端に差し込まれ、一対の浮力管２４Ａの各々の一端が、各々一対の継手２８の各々の他端にそれぞれ差し込まれている。また、一対の浮力管２４Ａの各々の他端が、一対の蓋部２６の各々の開放されている一端に差し込まれている。以上の構成により、本実施の形態に係る浮き部２２は、外周部が密閉された状態となり、内部の空洞に水が入ることがないため、水に浮く。
【００３６】
なお、本実施の形態では、浮力管２４、蓋部２６、および継手２８として、薄肉の塩化ビニル管（ＶＵ管）を適用しているが、これに限らない。例えば、浮力管２４、蓋部２６、および継手２８として、厚肉の塩化ビニル管（ＶＰ管）や木材等を適用してもよいし、水に浮く部材であれば、他の部材を適用してもよいし、内部が空洞とされていなくてもよい。また、本実施の形態では、浮き部２２として、浮力管２４、蓋部２６、および継手２８が連結された部材を適用しているが、これに限らない。例えば、浮き部２２として、両端が閉塞された１本のＶＵ管等の単体の構成の部材を適用してもよい。
【００３７】
一方、本実施の形態に係る一対の浮力管２４Ａは、各々外周面に丸環３０を備えている。図３および図４に示すように、本実施の形態に係る丸環３０は、各々結束バンド３２により一対の浮力管２４Ａに対して固定されている。なお、本実施の形態では、丸環３０として、ステンレス製の丸環を適用しているが、これに限らない。例えば、丸環３０として、プラスチック製や木材製等の他の材料のものを適用してもよい。
【００３８】
そして、本実施の形態に係る浮き部２２では、固定部２０のフック２０Ａと丸環３０とが、複数の環状の部材が連結された鎖３４により連結されている。従って、本実施の形態に係る浮き部２２は、固定部２０により水田１２の底に対して固定され、鎖３４の長さの範囲内で水田１２の水中を浮遊することができる。また、鎖３４の長さは、環状の部材を増やしたり、減らしたりすることにより、可変となっている。なお、本実施の形態では、鎖３４として、ステンレス製のものを適用しているが、これに限らない。例えば、鎖３４として、プラスチック製等の他の材料のものを適用してもよい。また、本実施の形態では、フック２０Ａと丸環３０とを連結する部材として、鎖３４を適用しているがこれに限らない。例えば、当該連結する部材として、鋼線等を適用してもよいし、ゴムやばね等の弾性部材を適用してもよい。
【００３９】
また、本実施の形態に係る一対の浮力管２４Ａは、外周面の周方向における丸環３０の反対側の位置に各々断面視円形状の継手３６を備えている。
【００４０】
一方、本実施の形態に係る浮き部２２は、水田１２の水面上に吹く風を受けるための変形部３８を備えている。図２および図３に示すように、本実施の形態に係る変形部３８は、略矩形状で、かつ平板状の風受板３８Ａと、当該風受板３８Ａに長手方向の一端部が溶接され、短手方向に切断した場合の断面の形状が円形の長尺状の支持部３８Ｂと、を備えている。
【００４１】
本実施の形態に係る魚養殖支援具１０では、支持部３８Ｂの外径と継手３６の内径とが略同一とされている。そして、支持部３８Ｂの一端が、継手３６の一端に差し込まれる。
【００４２】
なお、本実施の形態では、風受板３８Ａの材料として、塩化ビニルを適用しているが、これに限らない。例えば、風受板３８Ａの材料として、アクリル等の他のプラスチックや木材等を適用してもよい。また、本実施の形態では、支持部３８Ｂとして、ＶＵ管を適用しているが、これに限らない。例えば、支持部３８Ｂとして、ＶＰ管や木材等の他の部材を適用してもよい。また、本実施の形態では、風受板３８Ａの形状として、平板状の正面視矩形を適用しているが、これに限らない。例えば、風受板３８Ａの形状として、正面視円形や楕円形、矩形以外の多角形等の他の形状を適用してもよいことは言うまでもない。
【００４３】
一方、本実施の形態に係る魚養殖支援具１０は、浮力管２４Ｂに、外周面における周方向の位置が浮力管２４Ａの丸環３０の位置に対応する位置で、かつ長手方向の端部近傍の位置に重り３９が設けられている。この重り３９により、風が吹いていない状態で、変形部３８が直立する。なお、本実施の形態では、重り３９として、鉄片を適用しているが、これに限らず、例えば、重り３９として、銅片等の他の金属片やコンクリートブロック等の他の水に沈む部材を適用してもよい。
【００４４】
また、本実施の形態に係る魚養殖支援具１０は、矩形状で、かつ柔軟性を有するシート状の被覆部４０を備えている。本実施の形態に係る魚養殖支援具１０では、被覆部４０が浮き部２２における浮力管２４Ｂの上面に対して中間部が巻き掛けられた状態で、かつ当該中間部が浮力管２４Ｂの胴部に対して不図示の結束バンドやターンクリップ等の固定部材により固定されている。なお、具体的には、本実施の形態では、被覆部４０として、全面に網目を有するビニールのネットを適用している。
【００４５】
本実施の形態に係る魚養殖支援具１０は、被覆部４０の一対の対向する両端部（図２および図３の下端部）に、長尺状の重り部４２の重り管４２Ａが各々不図示の結束バンドやターンクリップ等の固定部材により固定されている。本実施の形態に係る重り部４２は、図５に示すように、一対の重り管４２Ａ、一対の補助管４２Ｂ、および二対の継手４２Ｃを備えている。なお、図５（Ａ）は、図３の矢印Ｅ方向に見た重り部４２の正面図であり、図５（Ｂ）は重り部４２の平面図である。また、図５では、錯綜を回避するために、重り部４２以外の魚養殖支援具１０の各構成部材を省略した形で示している。
【００４６】
本実施の形態に係る魚養殖支援具１０では、一対の重り管４２Ａおよび一対の補助管４２Ｂは、長尺状で、浮力管２４と同様に内部が空洞とされ、両端が開放されている。また、本実施の形態に係る継手４２Ｃは、平面視略Ｌ字状で、内部が空洞とされ、両端が開放されている。また、重り管４２Ａおよび補助管４２Ｂの外径と継手４２Ｃの内径とが略同一とされている。そして、重り管４２Ａの両端が一対の継手４２Ｃの一端に差し込まれ、一対の補助管４２Ｂの両端が一対の継手４２Ｃの他端に差し込まれる。
【００４７】
なお、本実施の形態に係る魚養殖支援具１０では、重り管４２Ａ、補助管４２Ｂ、および継手４２Ｃとして、ＶＵ管を適用しているが、これに限らない。例えば、重り管４２Ａ、補助管４２Ｂ、および継手４２Ｃとして、ＶＰ管等の他の水に浮く部材を適用してもよいし、棒鋼等の水に浮かない部材を適用してもよい。なお、本実施の形態では、図５（Ｂ）に示すように、重り管４２Ａ、補助管４２Ｂ、および継手４２Ｃの少なくとも１つに穴４２Ｄが設けられ、当該穴４２Ｄから重り部４２の内部に水が流入することにより、重り部４２が水に沈む。
【００４８】
また、本実施の形態に係る魚養殖支援具１０では、各部材が連結された状態での重り部４２の短手方向（図２の左右方向）の長さが、浮力管２４Ｂの外径より長くされている。従って、本実施の形態に係る被覆部４０は、図２に示すように、水田１２の底に近づくほど対向する部分の間隔が徐々に広くなっている。
【００４９】
また、本実施の形態に係る魚養殖支援具１０では、浮き部２２が水に浮き、被覆部４０の下端部（重り部４２）が水田１２の底から離間している。従って、本実施の形態に係る被覆部４０は、長手方向の両端部および水田１２の底に対向する部分が開口部となっており、当該開口部を介してドジョウＤが被覆部４０の内側に入ることができる。
【００５０】
次に、図６を参照して、本実施の形態に係る排水部１６の構成について説明する。なお、図６（Ａ）は、図１の矢印Ｃ方向に見た排水部１６の側面図であり、図６（Ｂ）は、図６（Ａ）の矢印Ｆ方向に見た排水部１６の正面図である。
【００５１】
図６に示すように、本実施の形態に係る排水部１６は、正面視略Ｔ字状の流入部１６Ａ、長尺状の排水管１６Ｂ、および側面視略Ｌ字状の継手１６Ｃを備えている。本実施の形態に係る流入部１６Ａ、排水管１６Ｂ、および継手１６Ｃも内部が空洞とされており、各端部が開放されている。また、排水管１６Ｂの外径と流入部１６Ａおよび継手１６Ｃの内径とが略同一とされている。そして、図６に示すように、流入部１６Ａ、排水管１６Ｂ、および継手１６Ｃが連結されている。
【００５２】
なお、本実施の形態では、流入部１６Ａ、排水管１６Ｂ、および継手１６Ｃとして、ＶＰ管を適用しているが、これに限らない。例えば、流入部１６Ａ、排水管１６Ｂ、および継手１６Ｃとして、ＶＵ管やステンレス管等を適用してもよい。
【００５３】
また、本実施の形態に係る排水部１６では、流入部１６Ａの水が流入する流入口１６ＤにドジョウＤが通過できない大きさの網目を有するネット１６Ｅが設けられている。これにより、ドジョウＤが排水部１６を通って、水田１２の外側へ移動することが防止される。
【００５４】
さらに、本実施の形態に係る排水部１６は、図６（Ｂ）に示すように、長手方向が水平方向の排水管１６Ｂを回転軸として矢印Ｇ方向に回動可能とされている。この構成により、当該回動によって、水田１２の底に対する水面の高さ（以下、「水位」という。）を細かく調整することができる。
【００５５】
本実施の形態では、排水部１６を回動させることにより、ドジョウＤの成長に合わせて複数の段階で水田１２の水位を変えている。本実施の形態では、一例として、図７に示すように、３段階で水田１２の水位を変えており、ドジョウＤが成長するに従い、図７（Ａ）に示す第１の水位、図７（Ｂ）に示す第２の水位、図７（Ｃ）に示す第３の水位に順次増水させる。なお、図２および図３に示した水位が、上記第３の水位に対応する。
【００５６】
また、本実施の形態では、水位を、ドジョウＤの体長が約３ｍｍ〜約３ｃｍの期間は上記第１の水位とし、当該体長が約３ｃｍ〜約５ｃｍの期間は上記第２の水位とし、当該体長が約５ｃｍ〜の期間は上記第３の水位としている。また、本実施の形態では、上記第１の水位を約２０ｃｍとし、上記第２の水位を約３０ｃｍとし、上記第３の水位を約４０ｃｍとしている。さらに、本実施の形態では、図７（Ａ）、（Ｂ）に示すように、水位が上記第１の水位および第２の水位の場合、浮き部２２が水面に浮いた状態で鎖３４が伸張した状態となるように、水位が上記第３の水位の場合より鎖３４の長さを各々短くしている。
【００５７】
そして、本実施の形態に係る魚養殖支援具１０では、水位が上記第３の水位とされている場合に前述した変形部３８が浮力管２４Ａの継手３６に各々装着される。
【００５８】
このように、本実施の形態では、ドジョウＤの成長に合わせて水田１２の水位を変えているが、これに限らず、例えば、ドジョウＤの養殖期間や水田１２の水温、気温等の環境条件等に応じて、水田１２の水位を変えてもよい。また、本実施の形態では、水田１２の水位を３段階で変えているが、これに限らず、水田１２の水位を２段階で変えてもよいし、当該水位を４段階以上で変えてもよいことは言うまでもない。
【００５９】
また、本実施の形態では、水位が上記第３の水位とされている場合に変形部３８が継手３６に装着されているが、これに限らない。例えば、水位が上記第１の水位とされている場合に変形部３８が継手３６に装着されてもよいし、水位が上記第２の水位とされている場合に変形部３８が継手３６に装着されてもよい。
【００６０】
次に、図８を参照して、変形部３８が風を受けた場合における被覆部４０の動きについて説明する。なお、図８（Ａ）は、変形部３８が風を受けてない場合における魚養殖支援具１０の正面図であり、図８（Ｂ）は、変形部３８が図８（Ａ）の左から右への方向に風を受けた場合における魚養殖支援具１０の正面図である。
【００６１】
本実施の形態に係る被覆部４０は、図８（Ａ）に示す変形部３８が直立した状態で、変形部３８が風を受けた場合、変形部３８が受けた風の方向および風力に応じて変形し、結果的に図８（Ｂ）に示す状態となる。そして、本実施の形態に係る被覆部４０は、風が収まると重り３９の作用により比較的短時間で最終的に変形部３８が直立した状態（図８（Ａ）に示す状態）に戻る。
【００６２】
このように、本実施の形態では、水田１２の水面上の風や、水田１２の水中における水流等に応じて被覆部４０が動いて変形するため、水田１２の水が攪拌され、上記死水領域の発生が低減される。
【００６３】
次に、図９を参照して、本実施の形態に係る魚養殖支援具１０を用いた魚の養殖を行う際の作業の流れを説明する。なお、図９は、当該作業を行う作業者によって実行される作業の流れを示すフローチャートである。また、本実施の形態では、当該作業が、水田１２に水が蓄えられていない状態で開始されるものとする。
【００６４】
まず、同図のステップ１００では、作業者は、前述したように、水田１２の底に複数の固定部２０を設置した後、次のステップ１０２にて、作業者は、前述したように、浮き部２２と固定部２０を鎖３４で連結する。次のステップ１０４では、作業者は、前述したように、浮き部２２の浮力管２４Ｂに対して被覆部４０を固定し、次のステップ１０６にて、作業者は、前述したように、被覆部４０に対して重り部４２の重り管４２Ａを固定する。
【００６５】
次のステップ１０８では、作業者は、流入口１６Ｄの位置が上記第１の水位に対応する位置となるように排水部１６を回動させる。次のステップ１１０では、作業者は、給水部１４のバルブを開けることにより水田１２への給水を開始し、水位が上記第１の水位になった時点で当該バルブを閉めることにより水田１２への給水を停止する。これにより、流入口１６Ｄの位置を上記第１の水位に対応する位置としているので、例えば、給水部１４のバルブを閉めるタイミングが遅れたとしても、水田１２の水位を上記第１の水位とすることができる。また、このステップ１０８およびステップ１１０の処理により、魚養殖支援具１０は、図７（Ａ）に示した状態となる。
【００６６】
次のステップ１１２では、作業者は、予め定められた数および体長のドジョウＤの雄と雌の仔魚を水田１２に放流する。なお、本実施の形態では、上記予め定められた数として、水田１２の面積が広くなるほど多い数（一例として、１ｍ２当り雄、雌ともに２匹ずつ）を適用しているが、これに限らない。例えば、水田１２に生息するドジョウＤの餌料の量、ドジョウＤの放流の時期等に応じて、上記予め定められた数を適宜決定してもよいことは言うまでもない。また、本実施の形態では、上記予め定められた体長として、約３ｍｍを適用しているが、これに限らない。例えば、ドジョウＤの養殖期間、ドジョウＤの放流の時期等に応じて、上記予め定められた体長を適宜決定してもよいことも言うまでもない。
【００６７】
次のステップ１１４では、作業者は、ドジョウＤが予め定められた大きさまで成長するまでの期間として予め定められた期間待機する。なお、本実施の形態では、作業者は、ドジョウＤの体長が約３ｃｍになるまでの期間（本実施の形態では、約３週間）待機する。
【００６８】
次のステップ１１６では、作業者は、流入口１６Ｄの位置が上記第２の水位に対応する位置となるように排水部１６を回動させる。次のステップ１１８では、作業者は、給水部１４のバルブを開けることにより水田１２への給水を開始し、水位が上記第２の水位になった時点で当該バルブを閉めることにより水田１２への給水を停止する。これにより、水田１２の水位を上記第２の水位とすることができる。
【００６９】
次のステップ１２０では、作業者は、浮き部２２の水田１２の深さ方向に対する中央部の位置が、水面と略同一の位置となる状態となるように、鎖３４を延長する。以上のステップ１１６〜ステップ１２０の処理により、魚養殖支援具１０は、図７（Ｂ）に示した状態となる。次のステップ１２２では、作業者は、ドジョウＤが予め定められた大きさまで成長するまでの期間として予め定められた期間待機する。なお、本実施の形態では、作業者は、ドジョウＤの体長が約５ｃｍになるまでの期間（本実施の形態では、約４週間）待機する。
【００７０】
次のステップ１２４では、作業者は、前述したように、変形部３８を浮き部２２に装着する。次のステップ１２６では、作業者は、流入口１６Ｄの位置が上記第３の水位に対応する位置となるように排水部１６を回動させる。次のステップ１２８では、作業者は、給水部１４のバルブを開けることにより水田１２への給水を開始し、水位が上記第３の水位になった時点で当該バルブを閉めることにより水田１２への給水を停止する。これにより、水田１２の水位を上記第３の水位とすることができる。
【００７１】
次のステップ１３０では、作業者は、被覆部４０が全部水没した状態（図７（Ｃ）に示した状態）となるように、鎖３４を延長する。以上のステップ１２４〜ステップ１３０の処理により、魚養殖支援具１０は、図２、図３、および図７（Ｃ）に示した状態となる。
【００７２】
次のステップ１３２では、作業者は、ドジョウＤの養殖を終了するタイミングが到来するまで待機し、当該タイミングが到来した時点で、本作業を終了する。なお、本実施の形態では、当該タイミングとして、ドジョウＤが市場に出荷できる程度の体長（本実施の形態では、約１２ｃｍ）まで成長したタイミングを適用しているが、これに限らない。また、作業者は、以上の作業の後、ドジョウＤを水田１２から回収し、回収したドジョウＤを市場に出荷する作業を行う。
【００７３】
以上詳細に説明したように、本実施の形態では、下端部に魚（本実施の形態では、ドジョウＤ）が養殖される水域（本実施の形態では、水田１２）の底に固定される固定部（本実施の形態では、固定部２０）を有すると共に、上端部に支持面を有する支持部（本実施の形態では、浮き部２２）により、固定部が水域の底に固定された支持部の支持面を対向する両端部の中間部により被覆した状態で、支持面で支持されて、両端部が垂れ下がる柔軟性を有するシート状の被覆部（本実施の形態では、被覆部４０）が支持される。そして、張力付与部（本実施の形態では、重り部４２）により、被覆部が支持面で支持された状態で、被覆部の対向する部分の間に開口部が形成され、かつ被覆部の内側に魚が生息する領域が形成されるように、被覆部の両端部の各々に対して下方に張力が付与されるので、生産性の高い養殖を行うことができる。
【００７４】
また、本実施の形態では、前記被覆部を、柔軟性を有するシート状の部材としているので、設置される場所の地形および水域の水深等に合わせて、簡易に被覆部を魚が被覆部の内側に入りやすい形状とすることができると共に、より生産性の高い養殖を行うことができる。
【００７５】
また、本実施の形態では、前記被覆部を、前記水域に生息する植物プランクトンが光合成を行うための光エネルギーを透過するものとしているので、より生産性の高い養殖を行うことができる。
【００７６】
また、本実施の形態では、前記被覆部が、少なくとも一部（本実施の形態では、全部）に網目を有しているので、当該被覆部の内側と外側との間の通気性を良くすることができる。
【００７７】
また、本実施の形態では、変形部（本実施の形態では、変形部３８）が、少なくとも一部が前記水域の水面より上に位置され、当該少なくとも一部が風を受けることにより前記被覆部を変形させているので、電力を必要とせず、簡易に当該被覆部を変形させることができる。
【００７８】
また、本実施の形態では、前記支持部が、水に浮くフロートを有しているので、簡易に被覆部を支持することができる。
【００７９】
また、本実施の形態では、前記張力付与部が、水に沈む重りを有しているので、簡易に被覆部の対向する両端部の各々に対して下方に張力を付与することができる。
【００８０】
さらに、本実施の形態では、前記魚の成長に応じて給水し、前記水域への給水により前記水域の水深が深くなるほど、前記水域に設けられた状態での前記被覆部の前記中間部における前記水域の深さ方向の位置を高くしているので、より生産性の高い養殖を行うことができる。
【００８１】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００８２】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【００８３】
例えば、上記実施の形態では、変形部３８が風を受けることにより被覆部４０を変形させる場合について説明したが、本発明はこれに限定されるものではない。例えば、浮き部２２に、変形部３８に代えてモータを設け、当該モータの駆動により浮き部２２を上記実施の形態と同様の方向に回動および稼動させることにより被覆部４０を変形させる形態としてもよい。
【００８４】
また、本実施の形態では、被覆部４０の形状として、矩形を適用した場合について説明したが、本発明はこれに限定されるものではない。例えば、被覆部４０の形状として、円形や楕円形、矩形以外の多角形等の他の形状を適用してもよい。
【００８５】
また、上記実施の形態では、被覆部４０として、網目を有するネットを適用した場合について説明したが、本発明はこれに限定されるものではない。例えば、被覆部４０として、寒冷紗を適用してもよい。
【００８６】
また、上記実施の形態では、被覆部４０の材料として、ビニールを適用する場合について説明したが、本発明はこれに限定されるものではない。例えば、被覆部４０の材料として、ポリプロピレン、ポリエステル、グラスファイバー、ステンレス等を適用する形態としてもよい。
【００８７】
また、上記実施の形態では、被覆部４０として、全面に網目を有するネットを適用した場合について説明したが、本発明はこれに限定されるものではない。例えば、図１０に示すように、被覆部４０として、一部に網目を有する部材を適用する形態としてもよい。この場合、被覆部４０として、ドジョウＤが通過可能な大きさとされた網目が、外敵によりドジョウＤが捕食されにくい、水田１２の底に近い位置（例えば、被覆部４０の水田１２における水深の半分以下となる位置）に設けられた部材を適用する形態が例示される。この場合、網目は外敵によりドジョウＤが捕食されにくい部分に設けられているので、当該網目から外敵が被覆部４０の内側に入る可能性を低減することができる結果、外敵によるドジョウＤの捕食の頻度を低減することができる。
【００８８】
また、例えば、図１１に示すように、被覆部４０として、網目を有さない部材を適用してもよい。この場合、被覆部４０として、例えば、ビニールやポリエチレンのシート等の柔軟性を有するシート状の部材を適用する形態が例示される。さらに、この場合、被覆部４０として、透明や白色系等の水田１２に生息する植物プランクトンが光合成を行うための光エネルギーを透過する部材を適用することが好ましい。特に、この場合、被覆部４０として、白色系の部材を適用することが好ましい。これにより、水田１２の水の透明度が確認しやすくなる。
【００８９】
また、上記実施の形態では、本発明の固定部として固定部２０を適用し、本発明の支持部として浮き部２２を適用し、本発明の張力付与部として重り部４２を適用した場合について説明したが、本発明はこれに限定されるものではない。例えば、図１２に示すように、本発明の固定部として複数の杭５０を適用し、本発明の支持部として支持部５２を適用し、本発明の張力付与部として複数の重り部５４を適用する形態としてもよい。
【００９０】
この形態例における魚養殖支援具１０では、複数の長尺状の杭５０の尖っている一端部が、支持部５２の長手方向に沿って所定間隔で水田１２の底に各々打ち込まれている。また、長尺状で、かつ短手方向に切断した場合の断面の形状が図１２（Ａ）における上方に向けて湾曲している支持部５２が、各々の杭５０の上端部に不図示の釘やねじ等の固定部材により固定されている。また、被覆部４０の対向する両端部の中間部が、不図示の紐や結束バンド等の固定部材により、支持部５２に対して固定されている。さらに、被覆部４０の両端部上に、複数の重り部５４が被覆部４０の長手方向に沿って所定間隔で置かれることにより、当該両端部が水田１２の底に接している。
【００９１】
なお、この場合、例えば、杭５０の材料として、木材、コンクリート、鋼等を適用する形態が例示される。また、例えば、支持部５２として、ＶＵ管やＶＰ管等の内部が空洞で、かつ短手方向に切断した場合の断面の形状が円形の管を長手方向に沿って切断した部材が例示される。また、例えば、重り部５４として、レンガ、コンクリートブロック、および鉄等の水に浮かない部材が例示される。さらに、この場合、被覆部４０の両端部を杭等により、水田１２の底に固定する形態としてもよい。
【００９２】
また、上記実施の形態では、水位が第３の水位とされている場合に、被覆部４０の全体が水没する場合について説明したが、本発明はこれに限定されるものではない。例えば、図１２（Ａ）に示すように、水位が第３の水位とされている場合でも、被覆部４０の下端部を含む一部のみが水没する形態としてもよい。
【００９３】
また、上記実施の形態では、被覆部４０の長手方向の両端部が開放されている場合について説明したが、本発明はこれに限定されるものではない。例えば、図１３（Ａ）に示すように、被覆部４０の長手方向の一端部が閉塞され、他端部が開放される形態としてもよい。また、図１３（Ｂ）に示すように、被覆部４０の長手方向の一端部または両端部の一部が閉塞される形態としてもよい。なお、図１３（Ａ）では、図１３（Ａ）における被覆部４０の手前側が閉塞され、奥側が開放されている場合を示している。また、図１３（Ｂ）では、図１３（Ｂ）における被覆部４０の手前側の一部（図１３（Ｂ）では上半分）が閉塞されている場合を示している。さらに、図１２、図１３に示すように、被覆部４０の水田１２の底に対向する部分が閉塞される形態としてもよい。
【００９４】
また、上記実施の形態では、水田１２の水位の変更に応じて、鎖３４の長さを変更する場合について説明したが、本発明はこれに限定されるものではない。例えば、一例として図１４に示すように、鎖３４の長さを、水位が第３の水位の場合における鎖３４の長さで固定する形態としてもよい。この場合、作業者は、図９に示した作業手順のステップ１２０およびステップ１３０の作業を省略することができるので、利便性が向上する。
【００９５】
また、上記実施の形態では、浮き部２２として、複数の構成部材（浮力管２４、蓋部２６、および継手２８）が連結されて一体化された物（以下、「連結物」という。）を適用する場合について説明したが、本発明はこれに限定されるものではない。例えば、図１５に示すように、浮き部２２として、連結物を不図示の結束バンド等により複数結束した物を適用する形態としてもよい。なお、図１５（Ａ）は、上記実施の形態より小さい口径の２つの連結物を水田１２の深さ方向に重ねて結束した場合を示し、図１５（Ｂ）は上記実施の形態より小さい口径の３つの連結物を結束した場合を示している。また、図１５（Ｃ）は、上記実施の形態と同一の口径の１つの連結物と上記実施の形態より小さい口径の２つの連結物とを結束した場合を示し、図１５（Ｄ）は、上記実施の形態より小さい口径の２つの連結物を水面方向に並べて結束した場合を示している。
【００９６】
また、上記実施の形態では、重り部４２に補助管４２Ｂおよび継手４２Ｃを設けて、被覆部４０の対向する部分の間隔が、水田１２の底に近づくほど徐々に広くなっていく場合について説明したが、本発明はこれに限定されるものではない。例えば、重り部４２に補助管４２Ｂおよび継手４２Ｃを設けずに、被覆部４０の対向する部分の間隔が変わらない形態としてもよい。
【００９７】
また、上記実施の形態では、人手による作業により給水部１４のバルブを開閉することによって給水部１４からの給水を開始および停止する場合について説明したが、本発明はこれに限定されるものではない。例えば、給水部１４にポンプ、および当該ポンプを制御する制御部を設け、不図示の制御部により当該ポンプを制御することによって、給水部１４からの給水の開始および停止を制御する形態としてもよい。
【００９８】
また、上記実施の形態では、人手よる作業により排水部１６を回動させる場合について説明したが、本発明はこれに限定されるものではない。例えば、排水部１６にモータ等を設け、当該モータの駆動を不図示の制御部により制御することによって、排水部１６の回動を制御する形態としてもよい。
【００９９】
また、上記実施の形態では、魚養殖支援具１０の設置場所として、遊休水田を適用した場合について説明したが、本発明はこれに限定されるものではない。例えば、当該設置場所として、稲作等を行っている水田の空いている領域を適用してもよいし、水田以外の人工池や天然の池、水槽等、養殖対象とする魚が生息可能な他の水域を適用する形態としてもよい。
【０１００】
また、魚養殖支援具１０の設置場所は、屋外に限定されず、屋内とする形態としてもよい。この場合、自然風による被覆部４０の変形は、設置場所が屋外である場合より期待できないので、扇風機等により人工風を水面上に吹かせることが好ましい。
【０１０１】
また、上記実施の形態では、養殖対象とする魚として、ドジョウを適用した場合について説明したが、本発明はこれに限定されるものではない。例えば、養殖対象とする魚として、メダカ、コイ、フナ、ナマズ等の他の魚を適用してもよい。
【０１０２】
その他、上記実施の形態で説明した魚養殖支援具１０の構成（図１〜図５参照。）は一例であり、本発明の主旨を逸脱しない範囲内において、不要な構成要素を削除したり、新たな構成要素を追加したりすることができることは言うまでもない。
【０１０３】
さらに、上記実施の形態で示した魚の養殖を行う際の作業の流れ（図９参照。）も一例であり、本発明の主旨を逸脱しない範囲内において、不要なステップを削除したり、新たなステップを追加したり、ステップの順序を入れ替えたりすることができることは言うまでもない。
【符号の説明】
【０１０４】
１０  魚養殖支援具
２０  固定部
２２  浮き部（支持部）
３８  変形部
４０  被覆部
４２  重り部（張力付与部）
５０  杭（固定部）
５２  支持部
５４  重り部（張力付与部）
Ｄ  ドジョウ
【要約】
【課題】生産性の高い養殖を行うことができる魚養殖支援具および魚養殖方法を得る。
【解決手段】下端部にドジョウＤが養殖される水田１２の底に固定される固定部２０を有すると共に、上端部に支持面を有する浮き部２２によって、固定部２０が水田１２の底に固定された浮き部２２の支持面を対向する両端部の中間部により被覆した状態で、支持面で支持されて、両端部が垂れ下がる柔軟性を有するシート状の被覆部４０が支持される。そして、被覆部４０が支持面で支持された状態で、重り部４２によって、被覆部４０の対向する部分の間に開口部が形成され、かつ被覆部４０の内側にドジョウＤが生息する領域が形成されるように、被覆部４０の両端部の各々に対して下方に張力が付与される。
【選択図】図２【図１】
0005616555.tif 000002
【図４】
0005616555.tif 000003
【図５】
0005616555.tif 000004
【図６】
0005616555.tif 000005
【図７】
0005616555.tif 000006
【図８】
0005616555.tif 000007
【図９】
0005616555.tif 000008
【図１２】
0005616555.tif 000009
【図１３】
0005616555.tif 000010
【図１４】
0005616555.tif 000011
【図１５】
0005616555.tif 000012
【図２】
0005616555.tif 000013
【図３】
0005616555.tif 000014
【図１０】
0005616555.tif 000015
【図１１】
0005616555.tif 000016